(57)【要約】【課題】デュアル−モノ音声やインターネットプロトコルに準拠した放送を含むさまざまなオーディオデータを再生する映像音声再生装置および映像音声再生方法において、サラウンド等の音場効果を最適に適用する。【解決手段】この発明の１つの実施の形態である映像音声再生装置（１１）は、コンテンツの音声モードの変化を検出する音声モード検出部（４７）と、コンテンツの音声モードが多重放送あるいは「主」音声と「副」音声とを含むデュアル−モノ放送である場合に、予め指定されている音声再生モードと比較し、比較結果に基づいて、コンテンツの音声モードに対して音場効果を適用するか非適用とするか、を切り換える切換装置（６０）と、を含む。【選択図】  図１
2010057126.tif 000002
【特許請求の範囲】
【請求項１】
コンテンツの音声に音場効果を施す音声処理部と、
前記音声の音声モードの変化を検出する音声モード検出部と、
前記音声の音声モードが「主」音声と「副」音声とを含むデュアル−モノ放送である場合に、前記音声処理部による音場効果を非適用とする切換部と、
を有することを特徴とする映像音声再生装置。
【請求項２】
コンテンツの音声モードの変化を検出する音声モード検出部と、
コンテンツの音声モードが多重放送あるいは「主」音声と「副」音声とを含むデュアル−モノ放送である場合に、予め指定されている音声再生モードと比較する比較部と、
この比較部による比較結果に基づいて、コンテンツの音声モードに対して音場効果を適用するか非適用とするか、を切り換える切換部と、
この切換部による音場効果の適用または非適用の切換と独立して、左右位相や相互混合比率等を変化させると、
を有することを特徴とする映像音声再生装置。
【請求項３】
コンテンツの音声モードの変化を検出する音声モード検出部と、
コンテンツの音声モードが非多重放送あるいは「主」音声と「副」音声とが区分されていない音声信号であって、擬似的に多重放送として提供される音声信号である場合に、予め指定されている音声再生モードと比較する比較部と、
この比較部による比較結果に基づいて、コンテンツの音声モードに対して音場効果を適用するか非適用とするか、を切り換える切換部と、
を有することを特徴とする映像音声再生装置。
【請求項４】
上記音場効果は、サラウンド効果を含むことを特徴とする請求項１ないし３のいずれかに記載の映像音声再生装置。
【請求項５】
コンテンツの音声モードの変化を検出し、
検出された音声モードが多重放送あるいは「主」音声と「副」音声とを含むデュアル−モノ放送であることを検出し、
予め指定されている音声再生モードと比較し、
比較結果に基づいて、コンテンツの音声モードに対して音場効果を適用するか非適用とするか、を切り換えることを特徴とする映像音声再生方法。
【請求項６】
コンテンツの音声モードの変化を検出し、
コンテンツの音声モードが多重放送あるいは「主」音声と「副」音声とを含むデュアル−モノ放送であることを検出し、
予め指定されている音声再生モードと比較し、
比較結果に基づいて、コンテンツの音声モードに対して音場効果を適用するか非適用とするか、を切り換えるとともに、
切換部による音場効果の適用または非適用の切換と独立して、左右位相や相互混合比率等を変化させることを特徴とする映像音声再生方法。
【請求項７】
コンテンツの音声モードの変化を検出し、
コンテンツの音声モードが非多重放送あるいは「主」音声と「副」音声とが区分されていない音声信号であって、擬似的に多重放送として提供される音声信号であることを検出し、
予め指定されている音声再生モードと比較し、
比較結果に基づいて、コンテンツの音声モードに対して音場効果を適用するか非適用とするか、を切り換えることを特徴とする映像音声再生方法。
【発明の詳細な説明】
【技術分野】
【０００１】
この発明は、放送事業者や配信事業者から提供される空間波や光ファイバ等を通じて、あるいはさまざまな記録媒体を介して、もしくはネットワーク等を通じて供給される動画および音声を再生する映像音声再生装置および映像音声再生方法に関する。
【背景技術】
【０００２】
ビデオデータ（動画）およびオーディオデータ（音声）を再生する映像音声再生装置、例えばテレビジョン受信装置においては、再生対象である動画や音声は、さまざまな規格あるいはモードを持つ。なお、空間波や光ファイバ等を通じて、あるいはさまざまな記録媒体を介して、もしくはネットワーク等を通じて提供されるテレビジョン番組や動画ファイルを伴った音楽（オーディオファイル）、映画等のコンテンツは、音場感を向上させるために、各種サラウンド効果（以降サラウンド等と記載する）を実現するために、オーディオファイルに効果用ファイル（効果用オーディオファイル）を伴うものがある。
【０００３】
ところで、テレビジョン受信装置は、今日では、ＨＤＭＩ（High Definition Multimedia Interface）を介して、ＡＶ機器（オーディオアンプ）や外部スピーカーあるいはモバイル機器（携帯可能な動画および音声記録再生装置）と接続される例も多く見られる。また、閉じたネットワーク、例えば家庭内ＬＡＮ（Local Area Network）を介してホームサーバー（大容量記録装置）あるいはＰＣ（パーソナルコンピュータ）等と接続される例も少なくない。
【０００４】
特許文献１には、音声多重復調回路と特殊音響効果付加回路（サラウンド効果切換回路）を備え、音声多重復調回路の出力信号に対して、音声多重モード切換信号により、主音声モード副音声モード、主・副音声モード、モノラル音声モード、ステレオ音声モードの各モードに応じて特殊音響効果（サラウンド効果のオン・オフ）を自動的に切換えることを特徴とするテレビジョン受像機が開示されている。
【特許文献１】特開昭６２−１３６９８０
【発明の開示】
【発明が解決しようとする課題】
【０００５】
しかしながら、特許文献１は、サラウンド効果のオン・オフを自動的に切り換えることを開示するのみで、今日のテレビジョン放送に用いられるデュアル−モノ（Dual-Mono）音声（異なるモノラル音声が２チャンネル分以上提供される）音声形態やインターネットプロトコル（Internet protocol）に準拠したＩＰ放送を再生するＰＣ等における音声データ等の再生については、考慮されていない。
【０００６】
この発明の目的は、デュアル−モノ音声やインターネットプロトコルに準拠した放送を含むさまざまなオーディオデータを再生する映像音声再生装置および映像音声再生方法において、サラウンド等の音場効果を最適に適用することである。
【課題を解決するための手段】
【０００７】
この発明は、上記問題点に基づきなされたもので、コンテンツの音声に音場効果を施す音声処理部と、前記音声の音声モードの変化を検出する音声モード検出部と、前記音声の音声モードが「主」音声と「副」音声とを含むデュアル−モノ放送である場合に、前記音声処理部による音場効果を非適用とする切換部と、を有することを特徴とする映像音声再生装置を提供するものである。
【発明の効果】
【０００８】
この発明によれば、デュアル−モノ音声やインターネットプロトコルに準拠した放送を含むさまざまなオーディオデータすなわち音声データを再生する際に、サラウンド等の音場効果を最適に設定できる。
【０００９】
これにより、音場効果が好適に再現される。
【００１０】
また、コンテンツ供給元が意図した音場効果が得られる。
【発明を実施するための最良の形態】
【００１１】
以下、図面を参照して、本発明の実施の形態の一例について説明する。
【００１２】
図１は、本発明の実施の形態が適用可能な映像音声再生装置の一例を示す。なお、以下に説明する映像音声再生装置は、例えば映像表示装置（モニター装置）が一体に設けられているテレビジョン受信装置（以下テレビ受信装置と呼称する）であってもよいし、入力される映像（動画）と音声（オーディオデータ）を記録可能で、その再生時に映像および音声を出力可能な映像音声記録再生装置（レコーダー装置）であってもよい。
【００１３】
図１は、この発明の実施の形態が適用される映像音声再生装置（テレビ受信装置）の一例を概略的に説明するブロック図である。
【００１４】
テレビ受信装置１１は、例えば液晶表示パネル等に代表される表示装置であって、映像信号（ビデオデータ）に対応する映像を表示する映像表示器１３、例えばスピーカー等に代表される音声再生装置であって、音声出力（オーディオデータ）を再生する音声再生器１５、ユーザーからの制御指示（制御入力）信号を受け入れる操作部１７、ユーザーからのリモートコントローラ（以下、リモコンと称する）による操作情報（制御入力）信号を受けつけるリモコン受信部１９、および制御ブロック（制御部）６０等を含む。
【００１５】
上述したテレビ受信装置１１は、上記各ユニットの動作や表示もしくはオーディオ（音声）出力を、制御部（制御ブロック，メインボードと呼ばれることもある）６０により、統括的に制御されている。
【００１６】
制御部６０は、ＣＰＵ（Central Processing Unit）６１に代表される主制御用ＩＣ（ＬＳＩ）を内蔵し、操作部１７からの操作情報（入力）、またはリモコンから送出された操作情報を受信部１９により受信した（リモコン入力）制御信号に対応する操作内容が反映されるように、各部をそれぞれ制御している。
【００１７】
制御部６０はまた、例えばＣＰＵ６１が実行する制御プログラムを保持したＲＯＭ（Read Only Memory）６２、ＣＰＵ６１に作業エリアを提供するＲＡＭ（Random Access Memory）６３、および各種の設定情報や、制御情報等が格納され、保持される不揮発性メモリー（Non Volatility Memory，ＮＶＭ）６４を、含む。なお、不揮発性メモリー（ＮＶＭ）６４は、後段に説明するが、「サラウンド効果を適用する放送（音源）に対するユーザーからの設定を保持する『サラウンド設定保持部』」として機能するとともに、デュアル−モノ放送（音源）に対するユーザー設定に基づき、ユーザーが設定した（希望する）音声再生モードが「主（Ｌチャンネル）」であるか「副（Ｒチャンネル）」であるか、もしくは『「主（Ｌチャンネル）」＋「副（Ｒチャンネル）」』であるかを保持する。
【００１８】
また、制御部６０は、カードホルダ７２と接続されたカードインターフェース（interface，Ｉ／Ｆ）７１を介して、カードホルダ７２に装着されるメモリーカードから映像および音声ファイルを読み込むことができ、また、メモリーカードに映像および音声ファイルを書き込むことができる。
【００１９】
制御部６０にはさらに、通信インターフェース（Ｉ／Ｆ）７３、第１および第２のＨＤＭＩインターフェース（Ｉ／Ｆ）７４，７５、ＵＳＢインターフェース（Ｉ／Ｆ）７６、およびｉ．Ｌｉｎｋインターフェース（Ｉ／Ｆ）７７等の任意数のインターフェース群が接続され、それぞれのインターフェースに適合する外部装置あるいはハブ（拡張装置）もしくはネットワーク制御装置として機能する。例えば、通信インターフェース７３には、ＬＡＮ端子８１が接続され、例えばＬＡＮ（ネットワーク）対応の図示しない外部（ＮＡＳ（Network Attached Storage）ＨＤＤ（Hard Disk Drive））が接続される。なお、ＬＡＮ端子８１は、イーサネット（登録商標）＜Ethernet（登録商標）＞を用いた一般的なＬＡＮ対応ポートとして使用することも可能で、例えばハブ（Hub）が接続されることで、ＬＡＮ対応のＨＤＤ、ＰＣ（personal computer）、ＨＤＤ内臓のＤＶＤレコーダー等の機器の接続が可能である。
【００２０】
第１および第２のＨＤＭＩインターフェース７４，７５には、それぞれＨＤＭＩ端子８２，８３が接続され、例えば図示しないＤＶＤレコーダーやＡＶアンプ、あるいはハブが接続される。なお、ＡＶアンプには、例えばＤＶＤレコーダーやＤＶＤプレーヤー等が接続される。また、ハブには、例えばＨＤＭＩ端子を備えたＡＶアンプや、ＰＣ（personal computer）、ＨＤＤ内臓のＤＶＤレコーダー、ＤＶＤプレーヤー等の外部機器が接続可能である。
【００２１】
ＨＤＭＩ端子８２，８３がハブと接続される場合には、例えばブロードバンドルータを介して、例えばインターネット等のネットワークとの接続や、ネットワーク上に位置するＰＣ（personal computer）や携帯電話、もしくは携帯端末との間の動画ファイル（映像データ）やオーディオファイル（音声データ）の読み込みおよび再生ならびに書き込み（記録）等も可能である。
【００２２】
ＵＳＢインターフェース（Ｉ／Ｆ）７６は、ＵＳＢポート８４と接続され、ポート８４に接続される図示しないハブを介して、携帯電話、デジタルカメラ、メモリーカードに対するカードリーダ／ライタ、ＵＳＢインターフェースを介してアクセス可能に形成されたＨＤＤ、キーボード等が接続可能であり、それぞれのＵＳＢ機器との間で情報の受け渡しが可能である。
【００２３】
ｉ．Ｌｉｎｋインターフェース（Ｉ／Ｆ）７７は、図示しないが、例えばＡＶ（オーディオ−ビジュアル）−ＨＤＤあるいはＤ（Digital）−ＶＨＳ（video home system）等の外部機器、もしくは外部地上波デジタルチューナ等がシリアル接続可能であり、接続される任意の機器との間で情報の受け渡しが可能である。
【００２４】
なお、詳述しないが、個々のインターフェースに加えて、もしくは任意の１または複数のインターフェースに代えて、例えばＤＬＮＡ（Digital Living Network Alliance（登録商標））規格等に準拠したネットワークコントローラや、図示しないBluetooth（登録商標）＜（ブルートゥース（登録商標）＞が用意され、それらを経由して、データの受け渡しが可能なレコーダー装置やＨＤＤ装置、もしくは携帯可能な端末装置が接続されてもよいことはいうまでもない。
【００２５】
以下、テレビ受信装置１１の主要な信号処理系について説明する。
【００２６】
ＢＳ／ＣＳデジタル放送受信用のアンテナ４２で受信した衛星デジタルテレビジョン放送信号は、入力端子４３を介して衛星デジタル放送用のチューナ４４に供給される。
【００２７】
チューナ４４は、制御部６０からの制御信号により所望のチャンネルの放送信号を選局し、この選局された放送信号をＰＳＫ（Phase Shift Keying）復調器４５に出力する。
【００２８】
ＰＳＫ復調器４５は、制御部６０からの制御信号に基づき、チューナ４４で選局された放送信号を復調して、所望の番組を含んだトランスポートストリーム（Transport Stream，ＴＳ）を得て、ＴＳ復号器４６に出力する。
【００２９】
ＴＳ復号器４６は、制御部６０からの制御信号により、トランスポートストリーム多重化された信号のＴＳ復号処理を行い、所望の番組のデジタルの映像信号及び音声信号を信号処理部４７に出力する。また、ＴＳ復号器４６は、デジタル放送により送られている番組（コンテンツ）を取得するための各種データ（サービス情報）、電子番組ガイド（ＥＰＧ）情報、番組属性情報（番組ジャンル等）および字幕情報等を制御部６０へ出力する。
【００３０】
また、地上波放送受信用のアンテナ４８で受信した地上デジタルテレビジョン放送信号は、入力端子４９を介して地上デジタル放送用のチューナ５０に供給される。
【００３１】
チューナ５０は、制御部６０からの制御信号により所望のチャンネルの放送信号を選局し、この選局された放送信号をＯＦＤＭ（Orthogonal Frequency Division Multiplexing）復調器５１に出力する。
【００３２】
ＯＦＤＭ復調器５１は、制御部６０からの制御信号により、チューナ５０で選局された放送信号を復調して、所望の番組を含んだトランスポートストリームを得て、ＴＳ復号器５６に出力する。
【００３３】
ＴＳ復号器５６は、制御部６０の制御の下で、トランスポートストリーム（ＴＳ）多重化された信号のＴＳ復号処理を行い、所望の番組のデジタルの映像信号および音声信号を信号処理部４７に出力する。なお、信号処理部４７では、デジタル放送波により送られてくる番組を取得するための各種データや電子番組ガイド（ＥＰＧ）情報や、番組属性情報（番組ジャンル等）等を取得して、制御部６０へ出力する。
【００３４】
地上波放送受信用のアンテナ４８で受信した地上アナログテレビジョン放送信号は、入力端子４９を介して地上アナログ放送用のチューナ５２に供給されることにより、所望のチャンネルの放送信号が選局される。チューナ５２で選局された放送信号は、アナログ復調器５３により、アナログコンテンツすなわちアナログの映像信号および音声信号に復調された後、信号処理部４７に出力される。
【００３５】
信号処理部４７は、ＰＳＫ復調器４５及びＯＦＤＭ復調器５１からそれぞれ供給されたデジタルの映像信号および音声信号に対して、選択的に所定のデジタル信号処理を施し、グラフィック処理部５４及び音声処理部５５に出力している。
【００３６】
信号処理部４７にはまた、複数（図示の場合は４つ）の入力端子４０ａ，４０ｂ，４０ｃ，４０ｄが接続されている。これら入力端子４０ａ〜４０ｄは、それぞれ、アナログの映像信号及び音声信号を、放送受信装置１１の外部から入力可能とするものである。
【００３７】
信号処理部４７は、アナログ復調器５３及び各入力端子４０ａ〜４０ｄから、それぞれ供給されたアナログの映像信号及び音声信号を選択的にデジタル化し、このデジタル化された映像信号及び音声信号に対して所定のデジタル信号処理を施した後、グラフィック処理部５４及び音声処理部５５に出力する。
【００３８】
グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３９】
なお、ＯＳＤ信号生成部５７により出力される出力ＯＳＤ信号は、αブレンディングのパラメーターが設定されることで、通常の映像表示上に、「半透明」状態で（通常の映像信号の一部を透過可能に）重ね合わせて出力させることもできる。
【００４０】
グラフィック処理部５４はまた、放送信号が字幕信号を伴い、字幕が表示可能である場合は、制御部６０からの制御信号および字幕情報に基づき、映像信号上に字幕情報を重畳する処理を行う。
【００４１】
グラフィック処理部５４から出力されたデジタルの映像信号は、映像処理部５８に供給される。映像処理部５８は、映像表示器１３すなわちディスプレイ装置（モニタ装置）により映像（動画／静止画）出力として再生可能に、グラフィック処理部５４から供給されるデジタルの映像信号をアナログの映像信号に変換する。なお、映像処理部５８と接続された出力端２１には、例えば外部装置として、拡大投影装置（プロジェクタ装置）や外部モニタ装置が接続されてもよいことはいうまでもない。出力端２１にはまた、例えばＤＶＤ規格の光ディスクを記録媒体とするＤＶＤレコーダー装置や、従来からのビデオテープを記録媒体とするビデオレコーダー装置が接続されてもよい。
【００４２】
音声処理部５５は、音声再生器１５すなわちスピーカー等であり、信号処理部４７から供給されるデジタルの音声信号をアナログの音声信号に変換する。なお、詳述しないが、音声信号（オーディオ出力）は、出力端２３と接続される外部スピーカーや、オーディオアンプ（ミキサーアンプ）や、出力端２３の１つの形態として用意されるヘッドホン出力端に、音声／オーディオ出力として再生可能に出力されてもよいことはいうまでもない。
【００４３】
なお、ＨＤＭＩインターフェース７４，７５すなわちＨＤＭＩ端子８２，８３を介して接続されている外部機器がＨＤＭＩ−ＣＥＣ（Consumer Electronics Control）に準拠している場合には、接続された外部機器は、例えばテレビジョン受信装置のリモート端末（リモコン）等の操作により、テレビジョン受信装置を経由して動作を制御することができる。
【００４４】
ところで、アンテナ４２または４８を介して空間波により放送事業者から、あるいは光ファイバ等ネットワークを介して配信事業者から、もしくは光ディスク等の記録媒体を介在して販売元から供給される動画（映像信号）および音声（オーディオ信号）には、視聴する際に音場感を向上させる技術として各種サラウンドなどの技術（以降サラウンド等と記載する）が用いられている。
【００４５】
反面、サラウンド等、すなわち音場効果は、ステレオ放送（ステレオオーディオ信号）やマルチチャンネルの放送（音源）の場合に、音場感を向上させることが可能であるが、デュアル−モノ放送（音源）すなわち音声多重放送や二ヶ国語放送（バイリンガル）等において、「主（音声）＋副（音声）」モードが設定され、「主音声」と「副音声」、あるいは二ヶ国語を同時に視聴している場合は、それぞれの音を交じり合わせることになる。この場合、正常なオーディオ信号の再生が困難に成ることはいうまでもない。このような背景から、デュアル−モノ放送（音源）を検出した場合、サラウンド等を無効にする技術が、既に実施されている。
【００４６】
しかしながら、単純に、デュアル−モノ放送（音源）に対するユーザー設定に基づき、希望する音声再生モードが「主音声（Ｌチャンネル）」や「副音声（Ｒチャンネル）」であることを検出して、サラウンド等を無効とした場合、本来であればサラウンド効果を得たい状態（放送あるいは音源）の再生時を含め、サラウンド等が再生できないことになる。また、サラウンド等は、音場効果に加え、イコライザーの設定等と連動して設定されている場合もあり、デュアル−モノ放送（音源）として供給されることの多い映画等を目的として用意された音響効果（シネマモード）等、についても無効としてしまう虞がある。
【００４７】
このような背景に基づき、図２に概略を示すが、制御部６０の動作により、デュアル−モノ放送（音源）であることを検出できた場合には、予めユーザーにより設定されている再生モードを抽出（読出し）し、ユーザー設定がサラウンド等（音場効果）を必要としていない場合について、サラウンド等を無効とすることにより、より効果的に、デュアル−モノ放送（音源）に対するサラウンド等の効果を発揮できる。
【００４８】
より詳細には、図２に示す通り、入力される映像（動画ファイル）および音声（オーディオファイル）すなわちコンテンツの音声モードの変化であるイベントの発生を検出する（Ｓ１）。
【００４９】
音声モードがデュアル−モノ、すなわち音声多重放送や二ヶ国語放送（バイリンガル）であることが検出できた場合（Ｓ２−ＹＥＳ）、現在の音声再生モードが、サラウンド効果オン（反映する）であるか、オフ（反映しない）であるかを検出する（Ｓ３）。
【００５０】
サラウンド効果がオン（反映する）である場合（Ｓ３−ＹＥＳ）、デュアル−モノ放送（音源）の再生時のユーザー設定が、「主音声（Ｌチャンネル）＋副音声（Ｒチャンネル）」であるか否かが判定される（Ｓ４）。
【００５１】
デュアル−モノ放送（音源）の再生時のユーザー設定が「主音声（Ｌチャンネル）＋副音声（Ｒチャンネル）」とは異なる場合（Ｓ４−ＮＯ）、デュアル−モノ放送（音源）が提供される場合であっても、サラウンド効果がオンに設定される（Ｓ５）。
【００５２】
一方、現在の音声再生モードにおいて、サラウンド効果がオン（反映する）である場合（Ｓ３−ＹＥＳ）であっても、デュアル−モノ放送（音源）の再生時のユーザー設定が「主（Ｌチャンネル）＋副（Ｒチャンネル）」である場合（Ｓ４−ＹＥＳ）、サラウンド効果はオフ（反映しない）に設定され、サラウンド設定モードが終了する（Ｓ６）。
【００５３】
すなわち、サラウンド効果のオン／オフを、ユーザーによる音声再生モードの設定と、供給される音声データの音声モードとを利用して、明らかにサラウンド効果の適用（サラウンド効果のオン）が適切ではない、と判定できる場合にのみ、サラウンド効果をオフとすることで、主音声（Ｌチャンネル）や副音声（Ｒチャンネル）により音声データを再生中であるユーザーに対して、例えば映画等を目的として用意されるシネマモード等の音響効果として提供される適切なサラウンド等を、好適に提供可能となる。
【００５４】
また、例えばリモコン端末によるユーザーからの上述のサラウンド効果のオン（有効）とオフ（無効）の設定時において、例えば「『現在入力されているイベントについてのみ適用』するか否か（『主（Ｌチャンネル）＋副（Ｒチャンネル）』モードが選択されている場合は、常時サラウンド効果を無効とするか否か）を、設定画面においてその都度設定可能とすることで、ユーザーの好みをより、容易に反映できる。
【００５５】
なお、提供される音声（オーディオ）のモードがデュアル−モノすなわち音声多重放送や二ヶ国語放送であるか否かは、例えばデジタル放送である場合には、音声ストリーム内にある音声モード記述子、ＭＰＥＧ（Moving Picture Experts Group）−２規格の圧縮方式における音声の場合は、チャンネルコンフィギュレーション（Channel Configuration）記述子を参照することで、容易に識別可能である。すなわち、デジタル放送の場合には、ＭＰＥＧ−２規格の圧縮信号をデコードする際に、信号処理部４７（図１参照）において、容易に取得できる。また、電子番組表（ＥＰＧ）等に利用するために事前に送られてくる（事前に取得可能な）イベント情報等を利用して識別することもできる。一方、アナログ放送については、アナログ音声信号内の音声モード判別を利用することができる。もちろん、デジタル放送と同様に、電子番組表（ＥＰＧ）等に利用するために事前に送られてくるイベント情報等を利用することも可能である。
【００５６】
なお、サラウンド等の技術（効果）として、左右のチャンネルもしくはマルチチャンネル時の位相や相互混合比率等を変化させることも可能である。例えば、サラウンド効果のオン（有効）／オフ（無効）の設定と周波数特性変更（イコライザー設定）やダイナミックレンジコントロール（ドルビーＤＲＣ（Dolby Dinamic Range Control）、ドルビーボリューム（Dolby Volume）、ＢＢＥ（ＢＢＥ社が提供するダイナミックレンジコントロールシステム）等が併用されている場合等であって、それぞれの技術（効果）を独立に制御できる場合は、『主（Ｌチャンネル）＋副（Ｒチャンネル）』設定時には、サラウンド効果のみ無効にすることにより、より最適な効果を得ることができる。なお、左右のチャンネルもしくはマルチチャンネル時の位相や相互混合比率等は、音声処理部５５あるいは、制御部６０と一体にあるいは制御部内に設けられる位相制御部６５または混合比率変更部６６により、設定される。
【００５７】
また、ＩＰ放送やＰＣ（personal computer）でエンコードしたコンテンツ等において、音声多重放送として扱いながらもコンテンツの音声モード自体は、ステレオモードである場合がある。このような場合、音声モードのみを用いて、サラウンド等の無効（オフ）と有効（オン）を制御する場合、『主（Ｌチャンネル）＋副（Ｒチャンネル）』設定時には、狙った効果（コンテンツ供給元が意図した効果）が得られない場合がある。しかしながら、本実施形態を適用することで、この種の課題も、ユーザー設定を判断基準として併用することで解決できる。
【００５８】
すなわち、図３に概略を示すが、入力される映像（動画ファイル）および音声（オーディオファイル）すなわちコンテンツの音声モードの変化であるイベントの発生を検出する（Ｓ１１）。
【００５９】
音声モードが擬似多重放送、すなわち非音声多重放送あるいは「主」音声と「副」音声とが区分されていない音声信号であることが検出できた場合（Ｓ１２−ＹＥＳ）、現在の音声再生モードが、サラウンド効果オン（有効）であるか、オフ（無効）であるかを検出する（Ｓ１３）。
【００６０】
サラウンド効果がオン（有効）である場合（Ｓ１３−ＹＥＳ）、デュアル−モノ放送（音源）の再生時のユーザー設定が、「主音声（Ｌチャンネル）＋副音声（Ｒチャンネル）」であるか否かが判定される（Ｓ１４）。
【００６１】
デュアル−モノ放送（音源）の再生時のユーザー設定が「主音声（Ｌチャンネル）＋副音声（Ｒチャンネル）」である場合（Ｓ１４−ＹＥＳ）、提供される擬似多重放送の音声再生においては、サラウンド効果がオフに設定される（Ｓ１５）。
【００６２】
以下、現在の音声再生モードにおいて、サラウンド効果がオン（有効）であり（Ｓ１３−ＹＥＳ）、デュアル−モノ放送（音源）の再生時のユーザー設定が「主（Ｌチャンネル）＋副（Ｒチャンネル）」とは異なる場合（Ｓ１４−ＮＯ）、サラウンド効果はオン（有効）に設定され、サラウンド設定モードが終了する（Ｓ１６）。
【００６３】
また、テレビ受信装置から光ケーブル（ＰＣＭ）やピンケーブル、もしくはＨＤＭＩ内の音声伝播手段等を用いて、外部機器であるＡＶアンプに音声を出力している場合、ＡＶアンプ（外部機器）に対して、テレビ受信装置側で設定されているデュアルモードの設定（『主（Ｌチャンネル）＋副（Ｒチャンネル）』または『主（Ｌチャンネル）』もしくは『副（Ｒチャンネル）』を通知できる。すなわち、外部機器（ＡＶアンプ）等を用いて、独立して音声（オーディオ）を再生しているようなケースにおいても、同様の効果（サラウンド効果の好適な制御）が期待できる。
【００６４】
以上説明したように、本発明の実施の形態の一つを用いることで、デュアル−モノ音声やインターネットプロトコルに準拠した放送を含むさまざまなオーディオデータすなわち音声データを再生する際に、サラウンド等の音場効果を最適に設定できる。
【００６５】
これにより、音場効果が好適に再現される。
【００６６】
また、コンテンツ供給元が意図した音場効果が得られる。
【００６７】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６８】
【図１】この発明の実施の形態が適用される映像音声再生装置の一例を示す概略図。
【図２】図１に示した映像音声再生装置における音場効果の適用、非適用を自動的に設定する方法の一例を、ソフトウエア的に説明する概略図。
【図３】図１に示した映像音声再生装置における音場効果の適用、非適用を自動的に設定する方法の別の一例を、ソフトウエア的に説明する概略図。
【符号の説明】
【００６９】
１１…テレビ受信装置（映像再生装置）、１３…映像表示器、１５…音声再生器、２１…出力端、４７…信号処理部、５５…音声処理部、５８…映像処理部、６０…制御部、６１…ＣＰＵ、６４…不揮発性メモリー（サラウンド設定保持部）、６５…位相制御部、６６…混合比率変更部。
【図１】
2010057126.tif 000003
【図２】
2010057126.tif 000004
【図３】
2010057126.tif 000005
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
コンテンツの音声に音場効果を施す音声信号処理部と、
音声の音声モードを検出する音声モード検出部と、
音声の音声モードが「主」音声と「副」音声とを含むデュアル−モノ放送である場合に、前記音声信号処理部が施す音場効果を非適用とする切換部と、
前記音声信号処理部により音場効果が非適用に切り換えられたことを、音声を再生する再生部に出力する際に、報知する報知部と、
を有することを特徴とする映像音声再生装置。
【請求項２】
コンテンツの音声モードを検出する音声モード検出部と、
前記音声モード検出部が検出したコンテンツの音声モードが多重放送あるいは「主」音声と「副」音声とを含むデュアル−モノ放送である場合に、予め指定されている音声再生モードと比較する比較部と、
この比較部による比較結果に基づいて、コンテンツの音声モードに対して音場効果を適用するか非適用とするか、を切り換える切換部と、
この切換部による音場効果の適用または非適用の切換と独立して、左右位相や相互混合比率等を変化させる混合比率変更部と、
前記切換部により音場効果が非適用に切り替えられた音声モードであることを音声を再生する再生部への出力時に、報知する報知部と、
を有することを特徴とする映像音声再生装置。
【請求項３】
コンテンツの音声モードを検出する音声モード検出部と、
前記音声モード検出部が検出したコンテンツの音声モードが非多重放送あるいは「主」音声と「副」音声とが区分されていない音声信号であって、擬似的に多重放送として提供される音声信号である場合に、予め指定されている音声再生モードと比較する比較部と、
この比較部による比較結果に基づいて、コンテンツの音声モードに対して音場効果を適用するか非適用とするか、を切り換える切換部と、
前記切換部により音場効果が非適用に切り替えられた音声モードであることを音声を再生する再生部への出力時に、報知する報知部と、
を有することを特徴とする映像音声再生装置。
【請求項４】
上記音場効果は、サラウンド効果を含むことを特徴とする請求項１ないし３のいずれかに記載の映像音声再生装置。
【請求項５】
コンテンツの音声モードが多重放送あるいは「主」音声と「副」音声とを含むデュアル−モノ放送であることを検出し、
予め指定されている音声再生モードと比較し、
比較結果に基づいて、コンテンツの音声モードに対して音場効果を適用するか非適用とするか、を切り換え、
音場効果が非適用に切り換えられた音声モードであることを、その出力時に、報知することを特徴とする映像音声再生方法。
【請求項６】
コンテンツの音声モードが多重放送あるいは「主」音声と「副」音声とを含むデュアル−モノ放送であることを検出し、
予め指定されている音声再生モードと比較し、
比較結果に基づいて、コンテンツの音声モードに対して音場効果を適用するか非適用とするか、を切り換えるとともに、
音場効果の適用または非適用の切換と独立して、左右位相や相互混合比率等を変化させ、
さらに音場効果が非適用に切り換えられた音声モードであることを、その出力時に、報知することを特徴とする映像音声再生方法。
【請求項７】
コンテンツの音声モードが非多重放送あるいは「主」音声と「副」音声とが区分されていない音声信号であって、擬似的に多重放送として提供される音声信号であることを検出し、
予め指定されている音声再生モードと比較し、
比較結果に基づいて、コンテンツの音声モードに対して音場効果を適用するか非適用とするか、を切り換え、
音場効果が非適用に切り換えられた音声モードであることを、その出力時に、報知することを特徴とする映像音声再生方法。
【請求項８】
前記切換部による音場効果の適用と非適用とを切換える制御信号の入力を受け付ける入力部をさらに有することを特徴とする請求項１ないし４のいずれかに記載の映像音声再生装置。
【請求項９】
音場効果の適用または非適用の切換を外部から受け付けることを特徴とする請求項５ないし７のいずれかに記載の映像音声再生方法。
【手続補正２】
【補正対象書類名】明細書
【補正対象項目名】０００７
【補正方法】変更
【補正の内容】
【０００７】
この発明は、上記問題点に基づきなされたもので、コンテンツの音声に音場効果を施す音声信号処理部と、音声の音声モードを検出する音声モード検出部と、音声の音声モードが「主」音声と「副」音声とを含むデュアル−モノ放送である場合に、前記音声信号処理部が施す音場効果を非適用とする切換部と、前記音声信号処理部により音場効果が非適用に切り換えられたことを、音声を再生する再生部に出力する際に、報知する報知部と、を有することを特徴とする映像音声再生装置を提供するものである。